【手続補正書】
【提出日】平成20年4月18日(2008.4.18)
【手続補正１】
【補正対象書類名】明細書
【補正対象項目名】特許請求の範囲
【補正方法】変更
【補正の内容】
【特許請求の範囲】
【請求項１】  連続視聴覚情報であるメディアコンテンツの内容を、メディアのタイプ毎に、時間で区分され、時間情報を含む複数のメディアセグメントとで記述した構造記述データを取得する取得部と、
取得した前記構造記述データを、連続した前記時間情報を含む複数の前記メディアセグメントを１つのタイプでまとめて再生順に並べて記述する表現記述データに変換し出力する変換部と、
を具備するデータ処理装置。
【請求項２】  前記変換部は、再生する自機の能力または前記メディアコンテンツを配送するネットワークの接続ビットレートの条件により再生内容を切り替えるための複数の記述を含む前記表現記述データに変換する請求項１記載のデータ処理装置。
【請求項３】  前記表現記述データは、SMIL文書であることを特徴とする請求項１または請求項２記載のデータ処理装置。
【請求項４】  連続視聴覚情報であるメディアコンテンツの内容を、メディアデータのタイプ毎に、時間で区分され、時間情報を含む複数のメディアセグメントで記述した構造記述データを取得する取得部と、
取得した前記構造記述データを、前記メディアセグメントの再生順序及び前記メディアデータのタイプに応じた同期情報を記述する表現記述データに変換し出力する変換部と、
を具備するデータ処理装置。
【請求項５】  前記変換部は、連続した前記時間情報を含む複数の前記メディアセグメントを１つにまとめて再生順に並べて記述する前記表現記述データに変換する請求項４記載のデータ処理装置。
【請求項６】  連続視聴覚情報であるメディアコンテンツの内容を、メディアのタイプ毎に、時間で区分され、時間情報を含む複数のメディアセグメントとで記述した構造記述データを取得するステップと、
取得した前記構造記述データから、連続した前記時間情報を含む複数の前記メディアセグメントを１つのタイプでまとめて再生順に並べて記述する表現記述データに変換し出力するステップと、
を具備するデータ処理方法。
【請求項７】  再生する自機の能力または前記メディアコンテンツを配送するネットワークの接続ビットレートの条件により再生内容を切り替えるための複数の記述を含む前記表現記述データに変換する請求項６記載のデータ処理方法。
【請求項８】  連続視聴覚情報であるメディアコンテンツの内容を、メディアのタイプ毎に、時間で区分され、時間情報を含む複数のメディアセグメントとで記述した構造記述データを取得する手順と、
取得させた前記構造記述データを、連続した前記時間情報を含む複数の前記メディアセグメントを１つのタイプでまとめて再生順に並べて記述する表現記述データに変換し出力する手順と、をコンピュータに実行させるためのプログラム。
【手続補正２】
【補正対象書類名】明細書
【補正対象項目名】００１８
【補正方法】変更
【補正の内容】
【００１８】
【発明の実施の形態】
本発明のデータ処理装置は、連続視聴覚情報であるメディアコンテンツの内容を、メディアのタイプ毎に、時間で区分され、時間情報を含む複数のメディアセグメントとで記述した構造記述データを取得する取得部と、取得した前記構造記述データを、連続した前記時間情報を含む複数の前記メディアセグメントを１つのタイプでまとめて再生順に並べて記述する表現記述データに変換し出力する変換部と、を具備する構成を採る。
【手続補正３】
【補正対象書類名】明細書
【補正対象項目名】００１９
【補正方法】変更
【補正の内容】
【００１９】
また、本発明のデータ処理装置は、連続視聴覚情報であるメディアコンテンツの内容を、メディアデータのタイプ毎に、時間で区分され、時間情報を含む複数のメディアセグメントで記述した構造記述データを取得する取得部と、取得した前記構造記述データを、前記メディアセグメントの再生順序及び前記メディアデータのタイプに応じた同期情報を記述する表現記述データに変換し出力する変換部と、を具備する構成を採る。
【手続補正４】
【補正対象書類名】明細書
【補正対象項目名】００２０
【補正方法】変更
【補正の内容】
【００２０】
本発明のデータ処理方法は、連続視聴覚情報であるメディアコンテンツの内容を、メディアのタイプ毎に、時間で区分され、時間情報を含む複数のメディアセグメントとで記述した構造記述データを取得するステップと、取得した前記構造記述データから、連続した前記時間情報を含む複数の前記メディアセグメントを１つのタイプでまとめて再生順に並べて記述する表現記述データに変換し出力するステップと、を具備するようにした。
【手続補正５】
【補正対象書類名】明細書
【補正対象項目名】００２１
【補正方法】変更
【補正の内容】
【００２１】
本発明のプログラムは、連続視聴覚情報であるメディアコンテンツの内容を、メディアのタイプ毎に、時間で区分され、時間情報を含む複数のメディアセグメントとで記述した構造記述データを取得する手順と、取得させた前記構造記述データを、連続した前記時間情報を含む複数の前記メディアセグメントを１つのタイプでまとめて再生順に並べて記述する表現記述データに変換し出力する手順と、をコンピュータに実行させるようにした。
【手続補正６】
【補正対象書類名】明細書
【補正対象項目名】００２２
【補正方法】削除
【補正の内容】
【手続補正７】
【補正対象書類名】明細書
【補正対象項目名】００２３
【補正方法】削除
【補正の内容】
【手続補正８】
【補正対象書類名】明細書
【補正対象項目名】００２４
【補正方法】削除
【補正の内容】
【手続補正９】
【補正対象書類名】明細書
【補正対象項目名】００２５
【補正方法】削除
【補正の内容】
【手続補正１０】
【補正対象書類名】明細書
【補正対象項目名】００２６
【補正方法】削除
【補正の内容】
【手続補正１１】
【補正対象書類名】明細書
【補正対象項目名】００２７
【補正方法】削除
【補正の内容】
【手続補正１２】
【補正対象書類名】明細書
【補正対象項目名】００２８
【補正方法】削除
【補正の内容】
【手続補正１３】
【補正対象書類名】明細書
【補正対象項目名】００２９
【補正方法】削除
【補正の内容】
【手続補正１４】
【補正対象書類名】明細書
【補正対象項目名】００３０
【補正方法】削除
【補正の内容】
【手続補正１５】
【補正対象書類名】明細書
【補正対象項目名】００３１
【補正方法】削除
【補正の内容】
【手続補正１６】
【補正対象書類名】明細書
【補正対象項目名】００３２
【補正方法】削除
【補正の内容】
【手続補正１７】
【補正対象書類名】明細書
【補正対象項目名】００３３
【補正方法】削除
【補正の内容】
【手続補正１８】
【補正対象書類名】明細書
【補正対象項目名】００３４
【補正方法】削除
【補正の内容】
【手続補正１９】
【補正対象書類名】明細書
【補正対象項目名】００３５
【補正方法】削除
【補正の内容】
【手続補正２０】
【補正対象書類名】明細書
【補正対象項目名】００３６
【補正方法】削除
【補正の内容】
【手続補正２１】
【補正対象書類名】明細書
【補正対象項目名】００３７
【補正方法】削除
【補正の内容】
【手続補正２２】
【補正対象書類名】明細書
【補正対象項目名】００３８
【補正方法】削除
【補正の内容】
【手続補正２３】
【補正対象書類名】明細書
【補正対象項目名】００３９
【補正方法】削除
【補正の内容】
【手続補正２４】
【補正対象書類名】明細書
【補正対象項目名】００４０
【補正方法】削除
【補正の内容】
【手続補正２５】
【補正対象書類名】明細書
【補正対象項目名】００４１
【補正方法】削除
【補正の内容】
【手続補正２６】
【補正対象書類名】明細書
【補正対象項目名】００４２
【補正方法】削除
【補正の内容】
【手続補正２７】
【補正対象書類名】明細書
【補正対象項目名】００４３
【補正方法】削除
【補正の内容】
【手続補正２８】
【補正対象書類名】明細書
【補正対象項目名】００４４
【補正方法】削除
【補正の内容】
【手続補正２９】
【補正対象書類名】明細書
【補正対象項目名】００４５
【補正方法】削除
【補正の内容】
【手続補正３０】
【補正対象書類名】明細書
【補正対象項目名】００４６
【補正方法】削除
【補正の内容】
【手続補正３１】
【補正対象書類名】明細書
【補正対象項目名】００４７
【補正方法】削除
【補正の内容】
【手続補正３２】
【補正対象書類名】明細書
【補正対象項目名】００４８
【補正方法】削除
【補正の内容】
【手続補正３３】
【補正対象書類名】明細書
【補正対象項目名】００４９
【補正方法】削除
【補正の内容】
【手続補正３４】
【補正対象書類名】明細書
【補正対象項目名】００５０
【補正方法】削除
【補正の内容】